(57)【特許請求の範囲】
【請求項１】
厨房の壁面に沿わすように設置される前面開放型のキャビネットを有する厨房家具であって、家電製品を収納するための家電収納部が設けられ、該家電収納部は家電製品を載置する載置板と側部の側板と背面側の背板とを有し、家屋の壁面の電気配線の端部に接続されるコンセントを取付けるための取付け部が前記背板に設けられており、該背板はキャビネットの前面側から着脱自在とされ、
背板は、側板の後側所定位置に取付け部材を介してキャビネットの前面側からビス止めされていることを特徴とする厨房家具。
【請求項２】
取付け部材は、側板に側方から固定される固定板部と、該固定板部の前面から左右方向に立上げられる取付け板部とから平面視してL字形状に形成され、取付け板部の前面が背板の背面を重ねて着脱自在に取付けるための取付け面とされていることを特徴とする請求項１記載の厨房家具。
【請求項３】
取付け部材は家電収納部に対してその上部側寄りに配置されていることを特徴とする請求項１または請求項２記載の厨房家具。
【請求項４】
載置板はキャビネットの前面側から引出し収納部に収納可能に設けられていることを特徴とする請求項１ないし請求項３の何れかに記載の厨房家具。
【発明の詳細な説明】
【技術分野】
【０００１】
本発明は、台所に設置されるシステムキッチン等の厨房家具に関し、特に炊飯器等の家電製品を収納する家電収納部の構造に関する。
【背景技術】
【０００２】
従来、システムキッチン等の厨房家具には、特許文献１に示すように、炊飯器等の家電製品を収納する家電収納部を備えたものがある。このような厨房家具は厨房の壁面に密着するように取付けられるものであり、その家電収納部には、家電製品に電気を供給するためのコンセントを有している。
【特許文献１】特開平１０−１１５４４５号公報
【発明の開示】
【発明が解決しようとする課題】
【０００３】
上記従来の厨房家具は厨房の壁面に密着するように取付けられるものであってしかもその家電収納部にはコンセントを有する必要がある。このため、厨房の壁面から導出させるようにして電気配線の取り回しを行い、その電気配線にコンセントを接続し、このコンセントを厨房家具の背面側から家電収納部に取付けて、その後に厨房家具を厨房の壁面に密着させるように取付けていた。
【０００４】
しかしながら、このように家電収納部にコンセントを取付けるためだけの作業を厨房家具の背面から行うのは大掛かりになり、また厨房家具を厨房の背面に密着するよう取付ける作業では電気配線の取り回しに気を配らなければならないという煩雑さがあり、家電収納部を有する厨房家具の取付けには多くの労力を必要としていた。
【０００５】
そこで本発明は、上記課題に鑑み、家電収納部を有する厨房家具であっても少ない労力で設置し得る厨房家具の提供を目的とする。
【課題を解決するための手段】
【０００６】
本発明は、厨房の壁面に沿わすように設置される前面開放型のキャビネットを有する厨房家具であって、家電製品を収納するための家電収納部が設けられ、該家電収納部は家電製品を載置する載置板と側部の側板と背面側の背板とを有し、家屋の壁面の電気配線の端部に接続されるコンセントを取付けるための取付け部が前記背板に設けられており、該背板はキャビネットの前面側から着脱自在とされ、背板は、側板の後側所定位置に取付け部材を介してキャビネットの前面側からビス止めされていることを特徴としている。
【０００７】
上記構成において、厨房家具を厨房の壁面に沿わすように設置する場合、例えばコンセントを取付けてある家電収納部の背板を取外しておいて、壁面から電気配線を導入してあるキャビネットを厨房の壁面に沿わせ、コンセントに電気配線の先端部を接続して、背板を装着するようにすれば、煩わしい電気配線の取り回しや電気配線に気を配ることなく、家電収納部を有する厨房家具を、容易に厨房に設置することが可能となる。
【０００８】
あるいは、背板を取外すタイミングとして、これは、キャビネットを厨房の壁面に沿わせた後に行ってもよい。あるいは、コンセントを予め背板に取付けておかず、背板を取外した後にコンセントを背板に取付け、これに電気配線を接続することも可能である。
【００１０】
この構成によれば、電気配線をキャビネット内に導入しておくようにすれば、ビスを、背板を介して取付け部材に取付け・取外しをすることで、キャビネットの開放された前面側から背板を極めて容易に、楽に取付け・取外しをすることが可能となる。
【００１１】
本発明の厨房家具では、取付け部材は、側板に側方から固定される固定板部と、該固定板部の前面から左右方向に立上げられる取付け板部とから平面視してL字形状に形成され、取付け板部の前面が背板の背面を重ねて着脱自在に取付けるための取付け面とされていることを特徴としている。
上記構成において、取付け部材の前面に背板の背面を前側から重ねるようにして、容易に背板を取付けることができる。
【００１２】
本発明の厨房家具では、取付け部材は家電収納部に対してその上部側寄りに配置されていることを特徴としている。
上記構成のように、取付け部材を家電収納部に対してその上部側寄りに配置することで、載置板から離れる上部側で背板の取付け作業が可能となるから、取付け部材への背板の取付け作業が容易となる。
【００１３】
本発明の厨房家具では、載置板はキャビネットの前面側から引出し収納部に収納可能に設けられていることを特徴としている。
上記構成において、載置板をキャビネットの前面側から引き出すことにより、その分だけ背板の着脱に際して邪魔するものがなくなり、背板の着脱がし易くなる。
【発明の効果】
【００１４】
本発明の厨房家具によれば、家電収納部の背板がキャビネットの前面側から着脱自在とされているから、例えばコンセントを取付けてある家電収納部の背板を取外しておいて、壁面から電気配線を導入してあるキャビネットを厨房の壁面に沿わせ、コンセントに電気配線の先端部を接続して、背板を装着するようにすることができ、したがって煩わしい電気配線の取り回しや電気配線に気を配ることなく、家電収納部を有する厨房家具を、容易に厨房に設置することができる。
【発明を実施するための最良の形態】
【００１５】
以下、本発明に係る厨房家具を、システムキッチンを例として、図面に基づいて説明する。図１および図２はシステムキッチンの上方からの概略斜視図である。図３はシステムキッチンの正面図、図４は要部の断面図である。
【００１６】
システムキッチン１は、台所（厨房）２の壁面２A（図４参照）に密着させるように沿わせて設置されるものである。システムキッチン１は、床面上に設置されたメインキャビネット３を有している。メインキャビネット３には、各種形状、構造の複数の引出し収納部４が、引出し・収納自在に設けられている。
【００１７】
また、メインキャビネット３は、コンロキャビネット５、家電キャビネット６、シンクキャビネット７が順次並設された構成を有しており、メインキャビネット３の天板としてのワークトップ１０がコンロキャビネット５、家電キャビネット６、シンクキャビネット７の上部を覆うように取付けられている。
【００１８】
グリル１１を備えた加熱調理器としてのコンロ１２が、メインキャビネット３を構成するコンロキャビネット５に組込まれており、加熱調理器としてのコンロ１２はＩＨ（電磁誘導加熱）クッキングヒーターを用いたコンロである。
【００１９】
ここで、家電キャビネット６について詳述する。家電キャビネット６は、前面開放型のキャビネットであり、キャビ底板１５とキャビ底板１５の左右両側から立上がるキャビ側板１６と、キャビ側板１６間の上端部に渡されて固定されたキャビ天板１７と、キャビ底板１５およびキャビ天板１７の背面側で上下方向に渡すよう固定されたキャビ背板１８とを有する。
【００２０】
なお、システムキッチン１全体を構成するコンロキャビネット５、シンクキャビネット７は、それぞれ家電キャビネット６のように、キャビ底板とキャビ底板の左右両側から立上がるキャビ側板と、キャビ側板間の上端部に渡されて固定されたキャビ天板と、キャビ底板およびキャビ天板の背面側で上下方向に渡すよう固定されたキャビ背板を、基本的構成要素として有している。
【００２１】
家電キャビネット６は、下部に引出し収納部４を有し、引出し収納部４の上側に、特に炊飯器、電気湯沸かし器等の蒸気を発生する家電製品２０を収納するための家電収納部２１を有する。
【００２２】
家電収納部２１は、天板２２と、家電製品２０を載置する載置板２３と、その両側部の側板２４と、背面側の背板２５とを有している。
【００２３】
載置板２３は家電キャビネット６の下方に前記引出し収納部４を設けられるのに充分な高さ位置に配置されており、載置板２３の下側には載置板２３を前後方向にスライド案内させ得る支持板２６が、家電キャビネット６の両側板２４に渡すようにして固定されている。これにより、載置板２３は家電キャビネット６の前面側から、引出し収納部４に収納可能に設けられている。
【００２４】
載置板２３の前部には、載置板２３を引出し収納したり押し込んで家電キャビネット６に収納したりするための操作板２７が取付けられている。この操作板２７は、その上部が載置板２３の上面から所定の高さだけ上方へ、且つ左右方向にわたって突出するように設けられている。これにより、載置板２３に載置した家電製品２０が不測に前面開放された家電キャビネット６から落下しないようになっている。
【００２５】
載置板２３の左右両側には、家電製品２０が側板２４に寄り過ぎないよう（当たらないよう）阻止するための横阻止板２８が取付けられている。載置板２３の左右幅は、横阻止板２８を設けている分に応じて家電キャビネット６の左右幅に比べて小さく設定されている。載置板２３の後部には、家電製品２０が背板２５により過ぎないよう（当たらないよう）阻止するための後阻止板３０が取付けられている。
【００２６】
背板２５は、キャビ背板１８から所定距離だけ前方に離間した位置に配置されている。換言すれば、家電収納部２１の前後幅は、その後側に、家屋、特にこの場合、台所２の壁面２Aからの電気配線３１を導入するのに充分な余裕空間３２を有するようキャビ背板１８から前方に離間しており、したがってその分だけメインキャビネット３の前後幅に比べて小さく設定されている。キャビ背板１８には、電気配線３１をメインキャビネット３内に導入するための導入穴１８ａが形成されている。
【００２７】
背板２５は側板２４の後側所定位置に、取付け部材を介して、家電キャビネット６の前面開放側から取付けビス３３，３４によって着脱自在に取付けられている。背板２５は後阻止板３０が当接可能に、支持板２６の後部上面に着脱自在に立設されている。背板２５は側板２４間にしっくり嵌る左右幅を有している。
【００２８】
側板２４どうしの対抗面に、取付け部材としての、上下方向に長い取付けアングル３５が、それぞれ取付け手段としてのネジ３６によって、側板２４の上部側（家電収納部２１に対して上部側寄り）に側方から止められている。
この取付けアングル３５は、側板２４に重ねられてネジ３６止めされる固定板部３７と、固定板部３７の前面から垂直に左右方向に立上げられる取付け板部３８とから平面視してL字形状に形成されている。取付け板部３８の前面が背板２５の背面４０を重ねて着脱自在に取付けるための取付け面４１とされている。
【００２９】
取付け板部３８の上部の前側に、背板２５の上部２５aが下方から挿入されるのに充分な間隔を置いて取付け補助杆部材４３が配置されており、この取付け補助杆部材４３はその左右端部が側板２４に渡すようにして固定されている。
【００３０】
背板２５の左右方向端部にそれぞれ上下方向に離間して取付けビス３３，３４を挿通させる挿通孔４５，４６が形成されている。取付けアングル３５の取付け板部３８の挿通孔４５，４６に対応する箇所には、取付けビス３３，３４が前側から螺合するネジ孔４７，４８が形成されている。
【００３１】
さらに、背板２５には、その下部に電気配線３１に接続されるコンセント５０を取付けるための、取付け部としての取付け用開口５１が形成されている。この取付け用開口５１は正面視して左右方向に長い矩形に形成されている。
【００３２】
コンセント５０は取付け用開口５１にその前側から挿入される本体５５と、本体５５の前面外周部に一体的に設けられて本体５５から壁面２Aに沿う方向に突出するフレーム状の鍔部５６とを有している。この鍔部５６は背板２５の前面で取付け用開口５１の外周部に前側から当接しており、この鍔部５６が背板２５の前面に接着剤や不図示のネジ等の固定手段を用いて固定されている。
【００３３】
天板２２は載置板２３の上方に対向するよう配置され、載置板２３と天板２２との間は、家電製品２０を載置板２３に載置するのに充分な距離に設定されている。この天板２２は家電キャビネット６の天板から所定距離だけ下方に位置ずれして配置されており、天板２２とキャビ天板１７との間に、公知の蒸気排出装置５７が設けられている。天板２２には、蒸気Sを蒸気排出装置５７に導入する不図示の導入穴が形成されている。
【００３４】
上記構成のシステムキッチン１を台所２の壁面２Aに沿うよう設置する手順の一例を説明する。先ず、家電キャビネット６をまだ台所２の壁面２Aから離した状態で、壁面２Aを通して電源に接続された電気配線３１をキャビ背板１８の導入穴１８ａから家電キャビネット６に導入しておく。
【００３５】
そして、背板２５を取付けアングル３５から取外した状態としておき、この背板２５の取付け用開口５１にコンセント５０のみを取付けておいて、電気配線３１を、背板２５を取付けていない家電収納部２１から前方に、作業に充分な長さだけ引き出す。
ここで作業者は、電気配線３１をコンセント５０に電気的に接続させる作業を行う。このように、背板２５を家電収納部２１から取外しておいて、背板２５を規制することなく作業を行えるから、コンセント５０に電気配線３１を接続する作業が極めて容易になる。
【００３６】
コンセント５０に電気配線３１を接続する作業が終えたら、続いて、家電キャビネット６をそのキャビ背板１８が壁面２Aに沿うように設置する。そして、載置板２３を手前に引いておくことで、載置板２３の後部を手間に位置させておいて、背板２５を家電収納部２１の側板２４間から挿入する。このとき、背板２５の上部２５ａを取付け補助杆部材４３と取付け板部３８の取付け面４１との間に下方から上方へ向けて挿入し、その後に支持板２６の後部上面に背板２５の下部２５ｂを載置する。
【００３７】
このようにすることで、背板２５と取付け板部３８とが前後側で沿うようになるから、続いて背板２５の前側、すなわち家電収納部２１の前面開放側から取付けビス３３，３４を、背板２５の挿通孔４５，４６に挿通し、取付け板部３８のネジ孔４７，４８に螺合することで、背板２５を取付け板部３８に固定して、家電キャビネット６の台所２への据付けを終了する。
取付けアングル３５は側板２４の上部側、すなわち家電収納部２１に対してその上部側寄りに設けられているから、取付けビス３３，３４の取付け位置を、載置板２３から上方に離れた位置での取付け作業となるから、載置板２３や操作板２７があったとしてもこれらに邪魔されることなくその作業を円滑に行うことができる。
【００３８】
なお、家電キャビネット６の台所２への据付けは、コンロキャビネット５、シンクキャビネット７との据付けとの関係において行われるものであるが、何れにしても、電気配線３１をコンセント５０に接続するためだけの作業を、家電キャビネット６の背面側から行うのは大掛かりであったことに比べて、容易な作業となる。また、電気配線３１を引き込んでおくことで、電気配線３１に対して気を配ることなく家電キャビネット６の据付けを行うことができる。
【図面の簡単な説明】
【００３９】
【図１】本発明の実施形態を示すシステムキッチンの、載置板を引き出した状態での上方からの概略斜視図
【図２】同じく載置板を収納した状態での上方からの概略斜視図
【図３】同じくシステムキッチンの正面図
【図４】同じく要部の断面図
【符号の説明】
【００４０】
１…システムキッチン、２…台所、２A…壁面、３…メインキャビネット、４…収納部、６…家電キャビネット、１５…キャビ底板、１６…キャビ側板、１７…キャビ天板、１８…キャビ背板、１８ａ…導入穴、２０…家電製品、２１…家電収納部、２２…天板、２３…載置板、２４…側板、２５…背板、２６…支持板、２７…操作板、２８…横阻止板、３０…後阻止板、３１…電気配線、３２…余裕空間、３３，３４…取付けビス、３５…取付けアングル、３７…固定板部、３８…取付け板部、４０…背面、４１…取付け面、４３…補助杆部材、５０…コンセント、５１…取付け用開口、５５…本体、５６…鍔部
【図１】
0005118901.tif 000002
【図２】
0005118901.tif 000003
【図３】
0005118901.tif 000004
【図４】
0005118901.tif 000005